(57)【要約】【課題】意図した色合いの画像を簡単且つ少ない回数で記録することができる撮像装置を提供すること。【解決手段】ユーザがキー入力部２８を操作すると、処理部１８がキー入力部２８の操作分だけの赤発光補正量δＬr、緑発光補正量δＬg、青発光補正量δＬbをＲＡＭ３６に記憶する。処理部１８が、発光量Ｌrと赤発光補正量δＬrの和、発光量Ｌgと緑発光補正量δＬgの和、発光量Ｌbと青発光補正量δＬbの和に基づき画像を補正することにより、その補正画像をスルー画像として表示部２４に表示させる。ユーザがキー入力部２８のシャッタボタンを操作すると、発光ダイオード４０，４４，４８が発光量Ｌrと赤発光補正量δＬrの和、発光量Ｌgと緑発光補正量δＬgの和、発光量Ｌbと青発光補正量δＬbの和で発光し、処理部１８が撮像素子１０の撮像画像を画像記憶部３２に記録する。【選択図】図１
2006186537.tif 000002
【特許請求の範囲】
【請求項１】
それぞれ発光色の異なる複数の発光部材を発光させて被写体を撮像素子に撮像し撮像された画像データを画像記憶部に記録する撮像装置において、
前記発光色毎に補正量データを入力する入力手段と、
この入力手段によって入力された補正量データに従って前記複数の発光部材を発光させる発光量制御手段と、
を備えることを特徴とする撮像装置。
【請求項２】
更に、被写体の色温度を測定し色温度データを得る色温度測定手段と、前記複数の発光部材を前記色温度測定手段によって得られた前記被写体の色温度に合わせて発光させる為の発光量データを記憶する発光量記憶手段と、を備え、
前記発光量制御手段は、前記発光量記憶手段に記憶された発光量データと前記入力手段によって入力された補正量データとに基づいて前記複数の発光部材を発光させることを特徴とする請求項１に記載の撮像装置。
【請求項３】
それぞれ発光色の異なる複数の発光部材を発光させて撮像素子に撮像された画像データを画像記憶部に記録する撮像装置において、
表示手段と、
色の補正量データを入力する入力手段と、
前記入力手段によって入力された補正量データに従って前記撮像素子に撮像された画像を色補正し、その色補正した画像を前記表示手段に表示させる表示制御手段と、
前記入力手段によって入力された補正量データに従った発光量で前記発光部材を発光させる発光制御手段と、
この発光制御手段による発光時に前記撮像素子に撮像された画像を画像データとして前記画像記憶部に記録する記録手段と、
を備えることを特徴とする撮像装置。
【請求項４】
更に、シャッタボタンを備え、
前記表示制御手段によって色補正した画像が前記表示手段に表示されている時に前記シャッタボタンが操作されると、前記発光制御手段によって前記発光部材を発光させるとともに、前記撮像素子に撮像された画像を画像データとして前記画像記憶部に記録することを特徴とする請求項３に記載の撮像装置。
【請求項５】
前記発光部材が赤、緑、青の三色の発光ダイオードからなり、
前記入力手段が赤、緑、青の三色の補正量を入力することを特徴とする請求項１乃至４の何れかに記載の撮像装置。
【請求項６】
発光色の変更可能な発光部材を発光させて、撮像素子に撮像された画像を画像データとして画像記憶部に記録する撮像方法において、
色の補正量データを入力する入力ステップと、
この入力ステップにおいて入力された補正量データに従って前記撮像素子に撮像された画像を補正し、その補正した画像を表示手段に表示させる画像表示ステップと、
前記入力ステップにおいて入力された補正量データに従った発光色で前記発光部材を発光させる発光制御ステップと、
この発光制御ステップにおける前記発光部材の発光時に前記撮像素子に撮像された画像を画像データとして前記画像記憶部に記録する記録ステップと、を含むことを特徴とする撮像方法。
【発明の詳細な説明】
【技術分野】
【０００１】
本発明は、それぞれ発光色が異なる複数の発光部材を発光させて、撮像素子に撮像された画像を画像データとして画像記憶部に記録する撮像装置及び撮像方法に関する。
【背景技術】
【０００２】
近年の撮像装置においては、固体撮像素子に写し込まれた画像をそのまま画像データとして記録するだけでなく、固体撮像素子に写し込まれた画像を処理回路で画質調整し、セピア色や、肌色強調色、赤み青み強調色等に補正して記録するものが提案されている（例えば、特許文献１、特許文献２、特許文献３参照。）。
【０００３】
一方、暗所でも被写体を撮像できるように、ストロボ機能付きの撮像装置が広く普及している。ストロボの光源としては、キセノン管を用いるのが一般的であるが、発光ダイオードを用いることもある。赤、緑、青の三色の発光ダイオードを用いることによって白色で発光できるストロボもあり、更にこのようなストロボを応用することによって、被写界の色温度に合わせた色温度で発光させることも提案されている（例えば、特許文献４参照。）。
【特許文献１】特開２００２−１０２８２号公報
【特許文献２】特開２００１−３１１８６７号公報
【特許文献３】特開２００１−２０３９３４号公報
【特許文献４】特開２００２−１１６４８１号公報
【発明の開示】
【発明が解決しようとする課題】
【０００４】
しかしながら、ストロボ使用時にはストロボ光の色温度の制御が必要であるばかりか、これに加えてユーザの意図した画質の画像を得ようとすると極めて複雑な処理回路が必要とする欠点があった。
【０００５】
そこで、本発明は、意図した色合いの画像を簡単な構成で得られることができる撮像装置及び撮像方法を提供することを目的とする。
【課題を解決するための手段】
【０００６】
以上の課題を解決するために、請求項１に係る発明の撮像装置は、それぞれ発光色の異なる複数の発光部材を発光させて被写体を撮像素子に撮像し撮像された画像データを画像記憶部に記録する撮像装置において、前記発光色毎に補正量データを入力する入力手段と、この入力手段によって入力された補正量データに従って前記複数の発光部材を発光させる発光量制御手段とを備えることを特徴とする。
【０００７】
また、請求項２の撮像装置は、更に、被写体の色温度を測定し色温度データを得る色温度測定手段と、前記複数の発光部材を前記色温度測定手段によって得られた前記被写体の色温度に合わせて発光させる為の発光量データを記憶する発光量記憶手段とを備え、前記発光量制御手段は、前記発光量記憶手段に記憶された発光量データと前記入力手段によって入力された補正量データとに基づいて前記複数の発光部材を発光させることを特徴とする。
【０００８】
更に、請求項３の撮像装置は、それぞれ発光色の異なる複数の発光部材を発光させて撮像素子に撮像された画像データを画像記憶部に記録する撮像装置において、表示手段と、  色の補正量データを入力する入力手段と、前記入力手段によって入力された補正量データに従って前記撮像素子に撮像された画像を色補正し、その色補正した画像を前記表示手段に表示させる表示制御手段と、前記入力手段によって入力された補正量データに従った発光量で前記発光部材を発光させる発光制御手段と、この発光制御手段による発光時に前記撮像素子に撮像された画像を画像データとして前記画像記憶部に記録する記録手段とを備えることを特徴とする。
【０００９】
更にまた、請求項４の撮像装置は、更に、シャッタボタンを備え、前記表示制御手段によって色補正した画像が前記表示手段に表示されている時に前記シャッタボタンが操作されると、前記発光制御手段によって前記発光部材を発光させるとともに、前記撮像素子に撮像された画像を画像データとして前記画像記憶部に記録することを特徴とする。
【００１０】
また、請求項５の撮像装置は、前記発光部材が赤、緑、青の三色の発光ダイオードからなり、前記入力手段が赤、緑、青の三色の補正量を入力することを特徴とする。
【００１１】
本発明の請求項６の撮像方法は、発光色の変更可能な発光部材を発光させて、撮像素子に撮像された画像を画像データとして画像記憶部に記録する撮像方法において、色の補正量データを入力する入力ステップと、この入力ステップにおいて入力された補正量データに従って前記撮像素子に撮像された画像を補正し、その補正した画像を表示手段に表示させる画像表示ステップと、前記入力ステップにおいて入力された補正量データに従った発光色で前記発光部材を発光させる発光制御ステップと、この発光制御ステップにおける前記発光部材の発光時に前記撮像素子に撮像された画像を画像データとして前記画像記憶部に記録する記録ステップとを含むことを特徴とする。
【発明の効果】
【００１２】
本発明によれば、入力された補正量データに従って発光部材の発光量が制御されるので撮像素子に撮像され且つ画像データとして記録される画像は、ユーザにとって意図した色合いの画像となるもので極めて簡単な構成で所望の画質の画像データを得ることが出来るものである。
【発明を実施するための最良の形態】
【００１３】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１４】
〔第１の実施の形態〕
図１は、本発明を適用した撮像装置、例えばデジタルカメラ１のブロック図である。
【００１５】
図１において、撮影レンズ２は、ズームレンズ又は単焦点レンズであって、被写体像を撮像素子１０に結像する。光学駆動部４は撮影レンズ２を駆動するものであり、光学駆動部４によって撮影レンズ２が駆動されると焦点距離が調整される。尚、撮影レンズ２が単焦点レンズの場合はこの光学駆動部４は不要である。
【００１６】
シャッタ６は、シャッタ駆動部８からの電気信号に基づいて開閉動作及び走行速度を制御されるシャッタである。撮像素子１０は、前面にＲ（赤）、Ｇ（緑）、Ｂ（青）のカラーフィルタが配置されたＣＣＤ型の固体撮像素子である。読出駆動部１２は撮像素子１０に読み出しパルスを供給するものであり、撮像素子１０は読出駆動部１２から読み出しパルスを供給されることによって光電変換された各画素の電荷が読み出される。撮像素子１０において画素ごとに光電変換され読み出された画信号（Ｒ（赤）信号、Ｇ（緑）信号、Ｂ（青）信号）はＣＤＳ／ＡＧＣ回路１４に順次出力される。
【００１７】
ＣＤＳ／ＡＧＣ回路１４は、撮像素子１０から出力された画信号をサンプリングホールドするとともに、画信号の利得を増幅して自動調整する。Ａ／Ｄ変換器１６は、ＣＤＳ／ＡＧＣ回路１４から入力される画信号を所定ビットのデジタル信号に変換し、デジタルの画信号を処理部１８に出力する。
【００１８】
送受信部２０は、パーソナルコンピュータや印刷装置などの外部機器とデータ通信を行うための回路である。時計部２２は、基準信号を計時して現在の日付時刻などの時刻データを得るもので、時刻データは処理部１８に出力される。
【００１９】
表示駆動部２６は、処理部１８によって制御され、処理部１８から与えられる表示データを表示部２４に送って表示部２４を表示駆動する。表示部２４は、カラー液晶ディスプレイパネル又はカラーエレクトロルミネッセンスディスプレイパネルを有し、表示駆動部２６に駆動されることによって表示動作を行う。
【００２０】
キー入力部２８は、電源キー、設定キー、モード切換キー、色設定モードキー、色補正キー、シャッタボタン、確定キー、選択キー、キャンセルキー等から構成され、操作内容に応じた信号を処理部１８に出力する。色補正キーは、赤色成分を増減するための赤補正キー、青色成分を増減するための青補正キー、緑色成分を増減するための緑補正キーから構成されている。
【００２１】
リード・ライト制御部３０は、画像記憶部３２を駆動する回路であり、画像記憶部３２は、リード・ライト制御部３０に駆動されることによって処理部１８から出力された画像データを記憶したり、記憶した画像データを処理部１８に出力したりする。
【００２２】
このデジタルカメラ１においては、ストロボとして機能する閃光装置が三色の発光部材、例えば発光ダイオード４０，４４，４８から構成されている。発光ダイオード４０は被写体に向けて赤色を発光し、発光ダイオード４４は被写体に向けて緑色を発光し、発光ダイオード４８は被写体に向けて青色を発光する。これら発光ダイオード４０、４４、４８はそれぞれの発光量が調整されることで全体としての発光色が変更可能である。
【００２３】
赤発光制御回路３８は、発光ダイオード４０の発光時間若しくは発光回数又は／及び発光強度を制御することにより、発光ダイオード４０の発光量を制御する回路である。緑発光制御回路４２は、発光ダイオード４４の発光時間若しくは発光回数又は／及び発光強度を制御することにより、発光ダイオード４４の発光量を制御する回路である。また、青発光制御回路４６は、発光ダイオード４８の発光時間若しくは発光回数又は／及び発光強度を制御することにより、発光ダイオード４８の発光量を制御する回路である。
【００２４】
このデジタルカメラ１においては、被写体の色温度を測定するための測色センサ５２が設けられている。測色センサ５２は、被写体の赤成分の光強度を検知する赤色用のフォトセンサと、被写体の緑成分の光強度を検知する緑色用のフォトセンサと、被写体の青成分の光強度を検知する青色用のフォトセンサとから構成されている。
【００２５】
センサ制御回路５０は、測色センサ５２から出力された赤・緑・青の光強度のＲＢＧ信号を測定色温度データとして処理し、測定色温度データを処理部１８に出力する。ＲＯＭ３４には、各部を処理する為の処理部１８にとって読取可能な各種プログラムが格納されている。
【００２６】
ＲＡＭ３６は、処理部１８に各種作業用の記憶領域を提供するメモリである。
【００２７】
処理部１８は、ＣＰＵ、画像処理回路、圧縮伸長回路等から構成されており、ＲＯＭ３４に格納されたプログラムに従ってＲＡＭ３４を作業領域としてデジタルカメラ１全体の制御を行う。
【００２８】
図２を用いてＲＡＭ３６の記憶領域について説明する。図２は、ＲＡＭ３６の記憶領域を表した概略図である。図２に示すように、処理部１８によってＲＡＭ３６に作成される記憶領域は、モードフラグ記憶領域６２と、色設定フラグ記憶領域６４と、撮影条件記憶領域６６と、赤発光量記憶領域６８と、緑発光量記憶領域７０と、青発光量記憶領域７２と、赤発光補正量記憶領域７４と、緑発光補正量記憶領域７６と、青発光補正量記憶領域７８と、ワークエリア８０とからなる。
【００２９】
モードフラグ記憶領域６２は、設定された動作モードのフラグを記憶するための領域であり、キー入力部２８の図示していないモード切換キーが操作されると、処理部１８は、モード切換キーの操作内容に応じた動作モードのフラグをモードフラグ記憶領域６２に記憶する。動作モードとしては、撮影モード、再生モード、消去モード及び送受信モードがある。撮影モードとは、キー入力部２８のシャッタボタンが押された場合に、処理部１８が撮像素子１０から入力した画信号を信号処理して画像データとして画像記憶部３２に記録するモードである。再生モードとは、処理部１８が画像記憶部３２に記録された画像データに従った画像を表示部２４に表示させるモードである。消去モードとは、処理部１８が画像記憶部３２に記録された画像データの一部又は全部を消去するモードである。送受信モードとは、処理部１８が画像記憶部３２に記録された画像データを送受信部２０を通じて外部機器に送信したり、外部機器からデータを受信して画像記憶部３２に記録したりするモードである。
【００３０】
色設定フラグ記憶領域６４は、撮影モードにおいて発光ダイオード４０、４４、４８の発光量の設定をするか否かを表すフラグを記憶するための領域である。なお、以下では、発光ダイオード４０、４４、４８の発光量の設定をするモードを色設定モードという。
【００３１】
撮影条件記憶領域６６は、撮影モードにおけるシャッタ速度や絞り量等撮影の為の各種条件を記憶するための領域である。なお、シャッタ速度及び絞り量は、キー入力部２８の図示しない設定キーで撮影モードを、人物撮影モード、風景撮影モード、お花畑用撮影モード、マクロ撮影モード、森用撮影モード等の中から選択することによって予め定められている条件に設定されるようにしたり、絞り優先撮影モード、シャッタ速度優先撮影モード等の中から選択すること等によって定まる。
【００３２】
赤発光量記憶領域６８は、撮影モードにおける発光ダイオード４０の発光量を記憶するための領域であり、緑発光量記憶領域７０は、撮影モードにおける発光ダイオード４４の発光量を記憶するための領域であり、青発光量記憶領域７２は、撮影モードにおける発光ダイオード４８の発光量を記憶するための領域である。
【００３３】
赤発光補正量記憶領域７４は、赤発光量記憶領域６８に記憶された発光量に対しての補正量を記憶するための領域であり、緑発光補正量記憶領域７６は、緑発光量記憶領域７０に記憶された発光量に対しての補正量を記憶するための領域であり、青発光補正量記憶領域７８は、青発光量記憶領域７２に記憶された発光量に対しての補正量を記憶するための領域である。
【００３４】
ワークエリア８０は、処理部１８によって種々のデータを一時記憶するための領域である。
【００３５】
次に、デジタルカメラ１の動作及び使用方法について図３及び図４のフローチャートを用いて説明する。図３及び図４は、ＲＯＭ３４に記録されたプログラムに従った処理部１８の処理の流れを示したチャートである。
【００３６】
図３に示すように、ユーザがキー入力部２８の電源キーを操作すると、デジタルカメラ１が起動し、処理部１８がＲＯＭ３４のプログラムを読み込んで、デジタルカメラ１全体の初期設定を行う（ステップＳ１）。
【００３７】
そして、処理部１８は、キー入力部２８において電源キー以外の他のキーが操作されたか否かを判定する（ステップＳ３）。何れかのキーが操作されたことが検出されると、処理部１８は、そのキー操作がキー入力部２８のシャッタボタンの操作か否かを判定し（ステップＳ５）、シャッタボタンの操作でない場合には、キー入力部２８のモード切換キーの操作か否かを判定し（ステップＳ９）、モード切換キーの操作でない場合には、キー入力部２８の設定キーが操作されたか否かを判定する（ステップＳ１３）。
【００３８】
ユーザのキー操作がキー入力部２８のシャッタボタンの操作の時には（ステップＳ５：Ｙｅｓ）、処理部１８が撮影記録処理を行う（ステップＳ７）。撮影記録処理については後述する。
【００３９】
また、ユーザのキー操作がキー入力部２８のモード切換キーの場合には（ステップＳ９：Ｙｅｓ）、処理部１８がモード切換処理を行う（ステップＳ１１）。モード切換処理においては、処理部１８が、モード切換キーの操作内容に応じた動作モードのフラグをモードフラグ記憶領域６２に記憶する。つまり、ユーザがモード切換キーを操作することによって撮影モード、再生モード、消去モード、送受信モードの中から何れかの動作モードを選択すると、処理部１８がその選択された動作モードのフラグをモードフラグ記憶領域６２に記憶する。その後、処理部１８の処理はステップＳ３に戻る。
【００４０】
また、ユーザの操作がキー入力部２８の設定キーの操作の場合には（ステップＳ１３：Ｙｅｓ）、処理部１８が撮影条件設定処理を行う（ステップＳ１５）。撮影条件設定処理においては、処理部１８が、設定キーの操作内容に応じた撮影条件（人物撮影モード、風景撮影モード、お花畑用撮影モード、マクロ撮影モード、森用撮影モード、絞り優先撮影モード、シャッタ速度優先撮影モード等の中から選択された１つのモードに応じた撮影条件）を撮影条件記憶領域６６に記憶する。その後、処理部１８の処理はステップＳ３に戻る。
【００４１】
ユーザのキー操作が上記シャッタボタン、モード切替キー及び設定キーのいずれでもない場合には（ステップＳ１３：No）、処理部１８の処理がステップＳ１７に進み、処理部１８が他のキー処理を行う。図４は、シャッタボタン、モード切換キー及び設定キーの何れもが操作されていない場合におけるステップＳ１７の詳細なフローチャートである。
【００４２】
図４に示すように、処理部１８は、キー操作が、キー入力部２８の色設定モードキーの操作か否かを判定し（ステップＳ２９）、色設定モードキーの操作でない場合には、キー入力部２８の赤補正キーが操作されたか否かを判定し（ステップＳ３７）、赤補正キーの操作でない場合にはキー入力部２８の緑補正キーが操作されたか否かを判定し（ステップＳ４１）、更に、緑補正キーの操作でない場合にはキー入力部２８の青補正キーが操作されたか否かを判定する（ステップＳ４５）。
【００４３】
操作されたキーがキー入力部２８の色設定モードキーであった場合（ステップＳ２９：Ｙｅｓ）には、処理部１８は、色設定モードを行うという旨のフラグを色設定フラグ記憶領域６４に記憶する（ステップＳ３１）。その後、処理部１８が、センサ制御回路５０を通じて測色センサ５２を駆動して被写体の色温度を測定し（ステップＳ３３）、測色センサ５２から入力した測定色温度データに基づいた赤色の発光量Ｌr、緑色の発光量Ｌg、青色の発光量Ｌbを赤発光量記憶領域６８、緑発光量記憶領域７０、青発光量記憶領域７２にそれぞれ記憶する（ステップＳ３５）。その後、処理部１８の処理はステップＳ３に戻る。
【００４４】
また、ユーザがキー入力部２８の赤補正キーを操作すると（ステップＳ３７：Ｙｅｓ）、処理部１８が赤補正キーの操作分だけの赤発光補正量δＬrを赤発光補正量記憶領域７４に記憶する（ステップＳ３９）。その後、処理部１８の処理はステップＳ３に戻る。
【００４５】
また、ユーザがキー入力部２８の緑補正キーを操作すると（ステップＳ４１：ＹＥＳ）、処理部１８が緑補正キーの操作分だけの緑発光補正量δＬgを緑発光補正量記憶領域７６に記憶する（ステップＳ４３）。その後、処理部１８の処理はステップＳ３に戻る。
【００４６】
更に、ユーザがキー入力部２８の青補正キーを操作すると（ステップＳ４５：Ｙｅｓ）、処理部１８が青補正キーの操作分だけの青発光補正量δＬbを青発光補正量記憶領域７８に記憶する（ステップＳ４７）。その後、処理部１８の処理はステップＳ３に戻る。
【００４７】
以上のように、処理部１８は、ステップＳ３９、ステップＳ４３、ステップＳ４７においてそれぞれ赤発光補正量δＬr、緑発光補正量δＬg、青発光補正量δＬbを入力する入力手段として機能する。なお、赤発光補正量δＬr、緑発光補正量δＬg、青発光補正量δＬbを正に設定することもできるし、負に設定することもできるし、ゼロに設定することもできる。
【００４８】
ユーザがキー入力部２８の色設定モード、赤補正キー、緑補正キー及び青補正キーを適宜操作することによって、被写界の色温度に応じた赤色の発光量Ｌr、緑色の発光量Ｌg及び青色の発光量ＬbがＲＡＭ３６に記憶され、操作内容に応じた赤発光補正量δＬr、緑発光補正量δＬg及び青発光補正量δＬbがＲＡＭ３６に記憶される。
【００４９】
処理部１８の処理がステップＳ３にリターンした場合において、ユーザがキー入力部２８を操作しない状態においては（ステップＳ３：Ｎｏ）、処理部１８はＲＡＭ３６のモードフラグ記憶領域６２のフラグを読み込んで、フラグにより動作モードが撮影モードであるか否かを判定する（ステップＳ１９）。上述したようにステップＳ９、ステップＳ１１においてユーザが撮影モードを選択した場合には、処理部１８の処理がステップＳ２３に移行し、ステップＳ９、ステップＳ１１においてユーザが再生モード、消去モード、送受信モードの何れかを選択した場合には、処理部１８の処理がステップＳ２１に移行する。
【００５０】
ステップＳ２１においては、処理部１８は、ユーザが選択したモードに応じた画像表示を表示部２４に表示させる。再生モードの場合には、処理部１８は、画像記憶部３２に記録された画像データを読み込んで、その画像を表示部２４に表示させる。消去モード、送受信モードの場合には、処理部１８は、画像記憶部３２に記録された複数の画像データを読み込んで、それらのサムネイル画像からなる選択画面を表示部２４に表示させる。なお、消去モードにおいては、処理部１８は、サムネイル画像のうちユーザがキー入力部２８で選択した画像のデータを画像記憶部３２から消去し、送受信モードにおいては、処理部１８は、サムネイル画像のうちユーザがキー入力部２８で選択した画像のデータを画像記憶部３２から読み出して送受信部２０を介して外部機器に送信する。
【００５１】
ステップＳ２３の撮影モードにおいては、処理部１８はＲＡＭ３６の色設定フラグ記憶領域６４のフラグを読み込んで、フラグにより色設定モードであるか否かを判定する。上述したようにステップＳ２９においてユーザが色設定モードに設定した場合には、処理部１８の処理がステップＳ２５に移行し、ステップＳ２９においてユーザが色設定モードに選択しなかった場合には、処理部１８の処理がステップＳ２７に移行する。
【００５２】
ステップＳ２７においては、処理部１８が表示駆動部２６を介してスルー画像を表示部２４に表示させる。即ち、処理部１８が、撮像素子１０からＣＤＳ／ＡＧＣ回路１４及びＡ／Ｄ変換器１６を介して入力した画信号（Ｒ信号、Ｇ信号、Ｂ信号）を信号処理して表示駆動部２６に出力することにより、撮像素子１０で撮像された画像がスルー画像として表示部２４に表示される。その後、処理部１８の処理はステップＳ３に戻る。
【００５３】
ステップＳ２５においては、処理部１８が、スルー画像表示制御手段として機能し、処理部１８は、表示駆動部２６を介して、色補正したスルー画像を表示部２４に表示させる。処理部１８が、撮像素子１０からＣＤＳ／ＡＧＣ回路１４及びＡ／Ｄ変換器１６を介して入力した画信号（Ｒ信号、Ｇ信号、Ｂ信号）を色補正するが、具体的には処理部１８が、ＲＡＭ３６に記憶した発光量Ｌrと赤発光補正量δＬrの和に基づきＲ信号を補正し、ＲＡＭ３６に記憶した発光量Ｌgと緑発光補正量δＬgの和に基づきＧ信号を補正し、ＲＡＭ３６に記憶した発光量Ｌbと青発光補正量δＬbの和に基づきＢ信号を補正する。そして、処理部１８が補正した画信号を信号処理して表示駆動部２６に出力することにより、撮像素子１０で撮像された画像が色補正されたスルー画像として表示部２４に表示される。その後、処理部１８の処理はステップＳ３に戻る。
【００５４】
ユーザがキー入力部２８のシャッタボタンを押した時の撮影記録処理（ステップＳ７）について図５を用いて説明する。ユーザがシャッタボタンを半押しすると、処理部１８が測色センサ５２から入力した測定色温度データに基づいてホワイトバランス調整値を求め、ホワイトバランス調整値を撮影条件記憶領域６６に記憶する（ステップＳ５１）。次に、処理部１８が光学駆動部４を通じて撮影レンズ２の焦点を合焦する（ステップＳ５３）。次に、処理部１８が、撮像素子１０からＣＤＳ／ＡＧＣ回路１４及びＡ／Ｄ変換器１６を介して入力した画信号（Ｒ信号、Ｇ信号、Ｂ信号）に基づき被写界のＥＶ値を求め、ＥＶ値に応じたシャッタ速度及び絞りを撮影条件記憶領域６６に記憶する（ステップＳ５５）。ここで、ユーザがシャッタボタンの半押しを解除した場合には、処理部１８の処理はステップＳ３に戻る。
【００５５】
ユーザがシャッタボタンの半押し後に全押しをすると（ステップＳ５９：ＹＥＳ）、処理部１８はＲＡＭ３６の色設定フラグ記憶領域６４のフラグを読み込んで、フラグにより色設定モードであるか否かを判定する（ステップＳ６１）。上述したようにステップＳ２９においてユーザが色設定モードに設定した場合には、処理部１８の処理がステップＳ６５に移行し、ステップＳ２９においてユーザが色設定モードに選択しなかった場合には、処理部１８の処理がステップＳ６３に移行する。なお、ステップＳ２７後からステップＳ６３に移行するまでは、処理部１８がスルー画像を表示部２４に表示させることによって表示部２４においては動画が表示され、ステップＳ２５後からステップＳ６５に移行するまでは、処理部１８が色補正したスルー画像を表示部２４に表示させることによって表示部２４においては動画が表示される。
【００５６】
ステップＳ６３においては、処理部１８は、発光制御回路３８，４２，４６を介して発光ダイオード４０，４４，４８を発光させるとともに、撮像素子１０からＣＤＳ／ＡＧＣ回路１４及びＡ／Ｄ変換器１６を介して入力した画信号を信号処理して、その画信号を画像データとして画像記憶部３２に記録する。この場合、処理部１８は、ＲＡＭ３６に記憶した発光量Ｌrで発光ダイオード４０を発光させ、ＲＡＭ３６に記憶した発光量Ｌgで発光ダイオード４４を発光させ、ＲＡＭ３６に記憶した発光量Ｌbで発光ダイオード４８を発光させて撮影しその画信号を信号処理して、その画信号を画像データとして画像記憶部３２に記録する。
【００５７】
即ち、このステップＳ６３は、被写体の色温度に応じた発光色で発光部材をストロボとして発光させるもので、撮影した画像は極めて自然な色合いとなる。
【００５８】
一方、ステップＳ６５においては、処理部１８は、発光制御回路３８，４２，４６を介して発光ダイオード４０、４４、４８を発光させるとともに、撮像素子１０からＣＤＳ／ＡＧＣ回路１４及びＡ／Ｄ変換器１６を介して入力した画信号を信号処理して、その画信号を画像データとして画像記憶部３２に記録する。この場合、処理部１８は、ＲＡＭ３６に記憶した発光量Ｌrと赤発光補正量δＬrの和で発光ダイオード４０を発光させ、ＲＡＭ３６に記憶した発光量Ｌgと緑発光補正量δＬgの和で発光ダイオード４４を発光させ、ＲＡＭ３６に記憶した発光量Ｌbと青発光補正量δＬbの和で発光ダイオード４８を発光させて撮影し、その撮影によって得られた画信号を信号処理して、画像データとして画像記憶部３２に記録する。画像データの記録後、処理部１８の処理はステップＳ３に戻る。
【００５９】
このステップＳ６３では、被写体の色温度に応じた発光色に、更にユーザが意図した色を加えた発光色で発光部材をストロボとして発光させるので、撮影した画像はユーザが意図した色合いの画像となる
【００６０】
なお、ストロボを発光させない撮影モードを選択した場合には、シャッタボタンが全押しされたときには、処理部１８は、撮像素子１０からＣＤＳ／ＡＧＣ回路１４及びＡ／Ｄ変換器１６を介して入力した画信号を適切なホワイトバランスに調整し、ホワイトバランス調整された画信号を信号処理し、その画信号を画像データとして画像記憶部３２に記録する。しかしてこの処理については、フローチャートによる説明は省略してある。
【００６１】
以上のように、本実施の形態では、ステップＳ２５において赤発光補正量δＬr、緑発光補正量δＬg、青発光補正量δＬbに従って補正された画像がスルー画像として予め表示されるから、ユーザはそのスルー画像を見ることによって、ストロボの発光時に撮像される画像の色合い等を予め把握することができる。スルー画像がユーザにとって意図した色合いでない場合には、ユーザがキー入力部２８を再び操作する（繰り返されたステップＳ３７、ステップＳ４１、ステップＳ４５）ことによって赤発光補正量δＬr、緑発光補正量δＬg、青発光補正量δＬbを新たに変更設定すれば良い。一方、スルー画像がユーザにとって意図した色合いである場合には、ユーザがシャッタボタンを操作すれば（、補正量に従った発光色でストロボが発光し、その発光の時に撮像素子に撮像された画像が画像データとして記録される（ステップＳ６５）。従って、ユーザにとって意図した色合いの画像を記録することができる。
【００６２】
〔第２の実施の形態〕
第１実施形態においては、キー入力部２８の色補正キーによって赤発光補正量δＬr、緑発光補正量δＬg、青発光補正量δＬbが設定されているが、これとは別に見本モードを設けて、赤発光補正量δＬr、緑発光補正量δＬg、青発光補正量δＬbを設定するようにしても良い。以下、見本モードについて具体的に説明する。
【００６３】
ＲＯＭ３４には、図６に示すようなデータテーブル８２が格納されている。このデータテーブル８２は、識別子を表す「Ｎｏ．」項目のデータに、発光色補正の内容を表す「見出し」項目のデータと、「赤発光補正量δＬr」項目のデータと、「緑発光補正量δＬg」項目のデータと、「青発光補正量δＬb」項目のデータと、発光色補正によって撮像される見本画像を表す「画像データ」項目のデータとを対応付けしたテーブルである。
【００６４】
上述のように処理部１８が図３及び図４に示した処理を行っている時に、ユーザがキー入力部２８を操作することによって見本モードを選択すると、処理部１８は図７に示すようなサブルーチンを実行する。
【００６５】
図７に示すように、まず、処理部１８は、データテーブル８２の中の何れかの「Ｎｏ．」に対応した「見出し」、「赤発光補正量δＬr」、「緑発光補正量δＬg」及び「青発光補正量δＬb」を表示部２４に表示させるとともに、「画像データ」の見本画像を表示部２４に表示させる（ステップＳ７１）。次に、処理部１８は、キー入力部２８の選択キーが操作されたか否かを判定し（ステップＳ７３）、選択キーが操作された場合には、処理部１８の処理がステップＳ７５に移行し、選択キーが操作されなかった場合には、処理部１８の処理がステップＳ７７に移行する。ステップＳ７５においては、処理部１８は、次の「Ｎｏ．」に対応した「見出し」、「赤発光補正量δＬr」、「緑発光補正量δＬg」及び「青発光補正量δＬb」を表示部２４に表示させるとともに、「画像データ」の見本画像を表示部２４に表示させ、その後処理部１８の処理がステップＳ７７に移行する。ステップＳ７７においては、処理部１８が、キー入力部２８の確定キーが操作されたか否かを判定する。
【００６６】
以上のように、ユーザがキー入力部２８の確定キーを操作する前では、ユーザがキー入力部２８の選択キーを操作するごとに、「見出し」、「赤発光補正量δＬr」、「緑発光補正量δＬg」、「青発光補正量δＬb」及び「画像データ」の画像が次々に表示部２４に表示される。
【００６７】
そして、ユーザがキー入力部２８の確定キーを操作すると、処理部１８はその表示されている「赤発光補正量δＬr」、「緑発光補正量δＬg」及び「青発光補正量δＬb」を赤発光補正量記憶領域７４、緑発光補正量記憶領域７６及び青発光補正量記憶領域７８にそれぞれ記憶する（ステップＳ８５、ステップＳ８７、ステップＳ８９）。また、ユーザがキー入力部２８の確定キーを操作することによって、色設定モードを行うという旨のフラグを色設定フラグ記憶領域６４に記憶し（ステップＳ７９）、センサ制御回路５０を通じて測色センサ５２を駆動し（ステップＳ８１）、測色センサ５２から入力した測定色温度データに基づいた赤色の発光量Ｌr、緑色の発光量Ｌg、青色の発光量Ｌbを赤発光量記憶領域６８、緑発光量記憶領域７０、青発光量記憶領域７２にそれぞれ記憶する（ステップＳ８３）。その後、処理部１８の処理はステップＳ３に戻る。なお、処理部１８の処理がステップＳ７３からステップＳ７７の間で繰り返されているとき、キー入力部２８のキャンセルキーが操作されると、図７に示したサブルーチンが終了し、処理部１８の処理はステップＳ３に戻る。
【００６８】
その後、ユーザがキー入力部２８のシャッタボタンを押したら、処理部１８は図５に示すような撮影記録処理を行う。ここで、図７のステップＳ７７においてユーザが確定キーを押した場合、図５において処理部１８は、ステップＳ６５において、発光制御回路３８，４２，４６を介して発光ダイオード４０，４４，４８を発光させるとともに、撮像素子１０からＣＤＳ／ＡＧＣ回路１４及びＡ／Ｄ変換器１６を介して入力した画信号を信号処理して、その画信号を画像データとして画像記憶部３２に記録する。ここで、処理部１８は、ＲＡＭ３６に記憶した発光量Ｌrと赤発光補正量δＬrの和で発光ダイオード４０を発光させ、ＲＡＭ３６に記憶した発光量Ｌgと緑発光補正量δＬgの和で発光ダイオード４４を発光させ、ＲＡＭ３６に記憶した発光量Ｌbと青発光補正量δＬbの和で発光ダイオード４８を発光させる。
【００６９】
また、ユーザがキー入力部２８のシャッタボタンを押すときまでは、処理部１８が、ステップＳ２５のように、色補正したスルー画像を表示部２４に表示させる。
【００７０】
〔変形例〕
なお、本発明は、上記各実施の形態に限定されることなく、本発明の趣旨を逸脱しない範囲において、種々の改良並びに設計の変更を行っても良い。例えば、発光部材は発光ダイオードでなく他の発光源を使用することが出来、また、発光量は、発光時間を長く或いは短くする方法や発光強度（輝度）を高く或いは低くすることによっても増減できる。
【００７１】
上記各実施形態では撮像素子１０をＣＣＤ型の固体撮像素子としたが、ＭＯＳ型の固体撮像素子としても良い。ＭＯＳ型の撮像素子を用いた場合、周辺回路（例えば、駆動回路やＣＤＳ／ＡＧＣ回路等）をＭＯＳ型固体撮像素子用に適宜変更する。
【００７２】
また、上記各実施形態では本発明をデジタルカメラに適用した例について述べたが、例えばカメラ機能付きの携帯電話や腕時計等、撮像装置を備えた種々の電子機器に適用することが出来る。
【図面の簡単な説明】
【００７３】
【図１】デジタルカメラ１のブロック図である。
【図２】ＲＡＭ３６の記憶領域を表した概略図である。
【図３】処理部１８の処理の流れを示したフローチャートである。
【図４】処理部１８の処理の流れを示したフローチャートである。
【図５】処理部１８の処理の流れを示したフローチャートである。
【図６】データテーブル８２を示した概略図である。
【図７】処理部１８の処理の流れを示したフローチャートである。
【符号の説明】
【００７４】
１  デジタルカメラ
１０  撮像素子
１８  処理部
２４  表示部
２８  キー入力部
３２  画像記憶部
３４  ＲＯＭ
３６  ＲＡＭ
４０、４４、４８  発光ダイオード
【図１】
2006186537.tif 000003
【図２】
2006186537.tif 000004
【図３】
2006186537.tif 000005
【図４】
2006186537.tif 000006
【図５】
2006186537.tif 000007
【図６】
2006186537.tif 000008
【図７】
2006186537.tif 000009